(57)【要約】【課題】構造的な制約を低減しながらも、周囲の外光量に応じたより適切な輝度で発光可能なバックライト装置及び液晶表示装置を低コストで提供する。【解決手段】バックライト装置において、外光量検出ユニットはバックライト装置に入射される外光量を検出し、バックライト調整手段は、外光量に基づいてバックライト光源の輝度を調整する。外光量検出ユニットは、筐体における所定の位置に設けられた第１光量検出手段及び第２光量検出手段と、第１光量検出手段の受光面に配設され、液晶パネルの後面側に配設された偏光板の偏光軸と直交する偏光軸を有する第１偏光板と、第２光量検出手段の受光面に配設され、液晶パネルの後面側に配設された偏光板の偏光軸と同一の偏光軸を有する第２偏光板と、第１光量検出手段により検出された光量と、第２光量検出手段により検出された光量との差分値に基づいて、外光量を算出する外光量算出手段と、を備える。【選択図】図１
2009288465.tif 000002
【特許請求の範囲】
【請求項１】
液晶パネルの背面側から光を照射するバックライト装置において、
バックライト光源と、
前記バックライト光源が設けられる筐体と、
当該バックライト装置に入射される外光量を検出する外光量検出ユニットと、
前記外光量検出ユニットにより検出された外光量に基づいて、前記バックライト光源の輝度を調整するバックライト調整手段と、
を備え、
前記外光量検出ユニットは、
前記筐体における所定の位置に設けられた第１光量検出手段及び第２光量検出手段と、
前記第１光量検出手段の受光面に配設され、前記液晶パネルの後面側に配設された偏光板の偏光軸と直交する偏光軸を有する第１偏光板と、
前記第２光量検出手段の受光面に配設され、前記液晶パネルの後面側に配設された偏光板の偏光軸と同一の偏光軸を有する第２偏光板と、
前記第１光量検出手段により検出された光量と、前記第２光量検出手段により検出された光量との差分値に基づいて、外光量を算出する外光量算出手段と、
を備えることを特徴とするバックライト装置。
【請求項２】
前記外光量検出ユニットは、複数設けられ、
前記バックライト調整手段は、複数の前記外光量検出ユニットにより検出された各外光量の平均値に基づいて、前記バックライト光源の輝度を調整することを特徴とする請求項１に記載のバックライト装置。
【請求項３】
前記バックライト光源を複数備え、
前記バックライト光源に対応して前記外光量検出ユニットを複数備え、
前記バックライト調整手段は、前記バックライト光源に対応して設けられた前記外光量検出ユニットにより検出された外光量に応じて、対応する前記バックライト光源の輝度を個別に調整することを特徴とする請求項１又は２に記載のバックライト装置。
【請求項４】
液晶パネルの背面側から光を照射するバックライト装置を備えた液晶表示装置において、
複数のバックライト光源と、
前記バックライト光源が設けられる筐体と、
前記バックライト光源に対応して、当該バックライト装置に入射される外光量を検出する外光量検出ユニットと、
前記バックライト光源に対応して設けられた前記外光量検出ユニットにより検出された外光量に基づいて、対応する前記バックライト光源の輝度を個別に調整するバックライト調整手段と、
を備え、
前記外光量検出ユニットは、
前記筐体における所定の位置に複数設けられた第１光量検出手段及び第２光量検出手段と、
前記第１光量検出手段の受光面に配設され、前記液晶パネルの後面側に配設された偏光板の偏光軸と直交する偏光軸を有する第１偏光板と、
前記第２光量検出手段の受光面に配設され、前記液晶パネルの後面側に配設された偏光板の偏光軸と同一の偏光軸を有する第２偏光板と、
前記第１光量検出手段により検出された光量と、前記第２光量検出手段により検出された光量との差分値に基づいて、外光量を算出する外光量算出手段と、
を備えることを特徴とする液晶表示装置。
【発明の詳細な説明】
【技術分野】
【０００１】
本発明は、液晶表示パネルの光源として用いられるバックライト装置及びバックライト装置を備える液晶表示装置に関する。
【背景技術】
【０００２】
液晶表示装置は、液晶表示パネルにおける２枚の電極で挟んだ液晶の配向を制御することで、バックライトからの光を通過又は遮断して画像表示を行うものである。
このような液晶表示装置は、周囲の明るさによって表示画像の視認性が異なるという特性を有している。例えば、屋外のような明るい場所では表示輝度を高くしなければ視認しづらく、反対に、室内のような暗い場所では、表示輝度が低くしなければ視認しづらい。
【０００３】
そこで、従来、周囲の外光量に応じて表示輝度を調整する種々の技術が提案されている。
例えば、特許文献１には、各ＴＦＴに、表示画面から入射する外光を検出するフォトセンサを配設し、各フォトセンサの検出した外光に基づいて、表示画面上に表示される画像の色調値を補正することで、外光に応じた好適な表示色で表示を行う表示装置が提案されている。
また、特許文献２には、表示部の表示側と裏面側とに、外光状態を検出するセンサを設け、２つのセンサの出力レベル差に応じて日光直射状態を判別して、バックライトの輝度を調整する輝度調整装置が提案されている。
その他、表示パネルの四隅に光センサを配設して、ライトの発光強度を制御する液晶表示装置が特許文献３に開示されている。
【特許文献１】特開２００７−１４０２６０号公報
【特許文献２】特開２００７−２７９１７９号公報
【特許文献３】国際公開番号  ＷＯ２００３／２５２６０２
【発明の開示】
【発明が解決しようとする課題】
【０００４】
しかしながら、特許文献１では、各画素に対してセンサを配置するため、部品点数が多くなってコストの高騰を招き、また、制御が複雑化するという問題があった。
また、特許文献２及び特許文献３では、表示パネルの縁にセンサを配置しているため、実際にユーザが視認する表示パネルに直接入光する外光とは異なる場所の外光を検出している。したがって、画面が大きくなるにつれて、表示パネルに入光する実際の外光の光量と検出される外光の光量とに、誤差が生じてしまうという問題があった。また、特許文献１〜３では、表示パネル側に外光量を検出するセンサを取り付ける必要があるため、バックライト光の輝度調整は、構造的にバックライト装置と表示パネルとで行うこととなって、構造的な制約が大きいという問題があった。
【０００５】
本発明の課題は、構造的な制約を低減しながらも、周囲の外光量に応じたより適切な輝度で発光可能なバックライト装置及びバックライト装置を備える液晶表示装置を低コストで提供することである。
【課題を解決するための手段】
【０００６】
上記課題を解決するため、請求項１に記載の発明は、液晶パネルの背面側から光を照射するバックライト装置において、
バックライト光源と、
前記バックライト光源が設けられる筐体と、
当該バックライト装置に入射される外光量を検出する外光量検出ユニットと、
前記外光量検出ユニットにより検出された外光量に基づいて、前記バックライト光源の輝度を調整するバックライト調整手段と、
を備え、
前記外光量検出ユニットは、
前記筐体における所定の位置に設けられた第１光量検出手段及び第２光量検出手段と、
前記第１光量検出手段の受光面に配設され、前記液晶パネルの後面側に配設された偏光板の偏光軸と直交する偏光軸を有する第１偏光板と、
前記第２光量検出手段の受光面に配設され、前記液晶パネルの後面側に配設された偏光板の偏光軸と同一の偏光軸を有する第２偏光板と、
前記第１光量検出手段により検出された光量と、前記第２光量検出手段により検出された光量との差分値に基づいて、外光量を算出する外光量算出手段と、
を備えることを特徴とする。
【０００７】
請求項２に記載の発明は、請求項１に記載のバックライト装置において、前記外光量検出ユニットは、複数設けられ、
前記バックライト調整手段は、複数の前記外光量検出ユニットにより検出された各外光量の平均値に基づいて、前記バックライト光源の輝度を調整することを特徴とする。
【０００８】
請求項３に記載の発明は、請求項１又は２に記載のバックライト装置において、前記バックライト光源を複数備え、
前記バックライト光源に対応して前記外光量検出ユニットを複数備え、
前記バックライト調整手段は、前記バックライト光源に対応して設けられた前記外光量検出ユニットにより検出された外光量に応じて、対応する前記バックライト光源の輝度を個別に調整することを特徴とする。
【０００９】
請求項４に記載の発明は、液晶パネルの背面側から光を照射するバックライト装置を備えた液晶表示装置において、
複数のバックライト光源と、
前記バックライト光源が設けられる筐体と、
前記バックライト光源に対応して、当該バックライト装置に入射される外光量を検出する外光量検出ユニットと、
前記バックライト光源に対応して設けられた前記外光量検出ユニットにより検出された外光量に基づいて、対応する前記バックライト光源の輝度を個別に調整するバックライト調整手段と、
を備え、
前記外光量検出ユニットは、
前記筐体における所定の位置に複数設けられた第１光量検出手段及び第２光量検出手段と、
前記第１光量検出手段の受光面に配設され、前記液晶パネルの後面側に配設された偏光板の偏光軸と直交する偏光軸を有する第１偏光板と、
前記第２光量検出手段の受光面に配設され、前記液晶パネルの後面側に配設された偏光板の偏光軸と同一の偏光軸を有する第２偏光板と、
前記第１光量検出手段により検出された光量と、前記第２光量検出手段により検出された光量との差分値に基づいて、外光量を算出する外光量算出手段と、
を備えることを特徴とする。
【発明の効果】
【００１０】
本発明によれば、バックライト光源と、バックライト光源が設けられる筐体と、バックライト装置に入射される外光量を検出する外光量検出ユニットと、外光量検出ユニットにより検出された外光量に基づいて、バックライト光源の輝度を調整するバックライト調整手段と、が備わり、外光量検出ユニットは、筐体における所定の位置に設けられた第１光量検出手段及び第２光量検出手段と、第１光量検出手段の受光面に配設され、液晶パネルの後面側に配設された偏光板の偏光軸と直交する偏光軸を有する第１偏光板と、第２光量検出手段の受光面に配設され、液晶パネルの後面側に配設された偏光板の偏光軸と同一の偏光軸を有する第２偏光板と、が備わり、第１光量検出手段により検出された光量と、第２光量検出手段により検出された光量との差分値に基づいて、外光量を算出する外光量算出手段と、が備わる。
すなわち、外光量を検出するための外光量検出ユニットを構成する第１光量検出手段及び第２光量検出手段が、ユーザが視認する液晶パネルの背面側にあるバックライト装置に配設されているため、外光量を検出する検出手段が表示面の外側に配設される場合と比較して、より正確な外光量を検出することが可能となり、バックライト装置をより適切な輝度で発光できることとなる。したがって、周囲の外光量に応じたより適切な輝度で発光可能なバックライト装置を低コストで提供することができる。
また、外光量検出ユニットがバックライト装置に備わるため、液晶パネル側に外光量を検出するセンサを設けることなく外光量を検出することができることとなって、構造的な制約を低減することができる。
【００１１】
また、第１光量検出手段の受光面に、液晶パネルの後面側に配設された偏光板の偏光軸と直交する偏光軸を有する第１偏光板が設けられ、第２光量検出手段の受光面に、液晶パネルの後面側に配設された偏光板の偏光軸と同一の偏光軸を有する第２偏光板が設けられ、第１光量検出手段により検出された光量と、第２光量検出手段により検出された光量との差分値に基づいて、外光量が算出される。したがって、外光量を検出するための第１光量検出手段及び第２光量検出手段が、バックライト装置の筐体に配置されているにもかかわらず、バックライト装置におけるバックライト光源からの反射光の影響を受けることなく、正確な外光量を算出することができる。
【発明を実施するための最良の形態】
【００１２】
以下、本発明の実施の形態について、図面を参照しながら詳細に説明する。なお、発明の範囲は図示例に限定されない。
【００１３】
（実施形態１）
まず、本発明を適用した実施形態１の液晶表示装置１００について説明する。
【００１４】
本実施形態１の液晶表示装置１００は、図１〜図４に示すように、液晶パネル１と、この液晶パネル１の背面側に配設され、背面側から光を照射するバックライト装置１０と、を備える。
液晶パネル１は、例えば、所定の間隔を隔てて配設された一対の基板の間に、液晶を封入したものである。この液晶は、例えば、電圧無印加状態で９０度ねじれるように配列されている。
【００１５】
液晶パネル１は、偏光軸が直交する２枚の偏光板２、３で挟まれている。これらの偏光板２、３は、入射する光のうち、自身の偏光軸と平行な振動面を有する光成分だけを透過させる。したがって、電圧無印加状態において、バックライト装置１０からのバックライト光は、液晶パネル１の後面側に配置された偏光板３を通過した後に、９０度ねじれた液晶分子に沿ってねじれ、液晶パネル１の前面側に配設された偏光板２を通過して明表示となる。一方、電圧印加状態では、バックライト装置１０からのバックライト光の振動方向は、ねじれのとれた液晶分子によって、液晶パネル１の後面側に配置された偏光板３の偏向軸方向に沿ったままとなり、液晶パネル１の前面側に配設された偏光板３によって遮られ、暗表示となる。
【００１６】
バックライト装置１０は、例えば、液晶パネル１の背面側に設けられた直下型のバックライトであり、一面が開口した筐体１１の内部にバックライト光源Ｃ１〜Ｃ４を収納し、筐体１１の開口部にライティングカーテン（図示省略）、拡散シート（図示省略）等を貼り付けたものである。
【００１７】
バックライト光源Ｃ１〜Ｃ４は、例えば、複数（例えば、４つ）の冷陰極管(CCFL: Cold Cathode Fluorescent Lamp)等であり、筐体１１内部において、垂直方向に沿って互いに平行に配置されている。４つのバックライト光源Ｃ１〜Ｃ４は、制御部１７による制御に従って、バックライト調整手段としてのバックライト駆動部１２により駆動される。
【００１８】
バックライト駆動部１２は、４つのバックライト光源Ｃ１〜Ｃ４のそれぞれに対応して設けられたインバータ（図示省略）により交流電圧を印加して、４つのバックライト光源Ｃ１〜Ｃ４の輝度を調整する。
【００１９】
筐体１１における略中央部（所定の位置）Ｐ１には、第１光量検出手段としての第１フォトダイオード１３と、第２光量検出手段としての第２フォトダイオード１４とが、互いに近接して設けられており、入射される光の光量を検出する。
第１フォトダイオード１３の受光面には、液晶パネル１の後面側に配設された偏光板３の偏光軸と直交する偏光軸を有する第１偏光板１５が、受光面を覆うように設けられている。
また、第２フォトダイオード１４の受光面には、液晶パネル１の後面側に配設された偏光板３の偏光軸と同一の偏光軸を有する第２偏光板１６が、受光面を覆うように設けられている。
【００２０】
図５は、バックライト装置１０において検出される光について説明する図である。
図５に示すように、バックライト装置１０には、周囲からの外光が液晶パネル１を介して入射される。また、バックライト装置１０の内部では、バックライト光源Ｃ１〜Ｃ４から出射されるバックライト光が、バックライト装置１０の筐体１１や、ライティングカーテン（図示省略）、拡散シート（図示省略）等により反射されて散乱している。
したがって、バックライト装置１０では、液晶パネル１を介して外部から入射する外光Ｌ１と、バックライト装置１０自身が照射したバックライト光の反射光Ｌ２とが入り混じった光（以下、混合光と称する）Ｌ３が検出されることとなる。
【００２１】
図６は、バックライト装置１０の筐体１１に設けられた第１フォトダイオード１３及び第２フォトダイオード１４により検出される光について説明する図である。図６において、液晶表示装置１００の周囲から入射される外光は実線で示し、バックライト光源Ｃ１〜Ｃ４からの反射光は点線で示す。
図６に示すように、バックライト装置１０において検出される混合光Ｌ３に含まれる外光Ｌ１は、液晶パネル１の表示面に入射する外光のうち、偏光板２、液晶パネル１、偏光板３を通過した偏光成分であり、液晶パネル１の後面側に配置された偏光板３の偏光軸方向に沿って振動している。例えば、液晶パネル１の後面側に配置された偏光板３が、垂直方向の偏光軸を有する場合、バックライト装置１０には、垂直振動する外光Ｌ１のみが到達することとなる。
前述のように、第１フォトダイオード１３の受光面に配設された第１偏光板１５は、液晶パネル１の後面側に配設された偏光板３の偏光軸と直交する偏光軸（例えば、水平方向の偏光軸）を有しているため、バックライト装置１０に到達する垂直振動の外光Ｌ１は、第１フォトダイオード１３の受光面に配設された第１偏光板１５において遮られることとなり、第１フォトダイオード１３では検出されないこととなる。
また、前述のように、第２フォトダイオード１４の受光面に配設された第２偏光板１６は、液晶パネル１の後面側に配設された偏光板３の偏光軸と同一方向の偏光軸（例えば、垂直方向の偏光軸）を有しているため、液晶パネル１からバックライト装置１０に到達する垂直振動の外光Ｌ１は、第２フォトダイオード１４の受光面に配設された第２偏光板１６をそのまま通過し、第２フォトダイオード１４において検出されることとなる。
【００２２】
一方、バックライト装置１０において検出される混合光Ｌ３に含まれるバックライト反射光Ｌ２は、無偏光であり、垂直振動する光成分及び水平振動する光成分を含んでいる。
したがって、バックライト反射光Ｌ２に含まれる水平振動の光成分Ｌ２ａは、第１フォトダイオード１３の受光面に配設された第１偏光板１５を通過して第１フォトダイオード１３において検出されることとなる。また、バックライト反射光Ｌ２に含まれる垂直振動の光成分Ｌ２ｂは、第２フォトダイオード１４の受光面に配設された第２偏光板１６を通過して第２フォトダイオード１４において検出されることとなる。
【００２３】
すなわち、第１偏光板１５を有する第１フォトダイオード１３では、周囲から入射する外光Ｌ１は検出されず、バックライト反射光Ｌ２に含まれる水平振動する光成分Ｌ２ａのみが検出される。
一方、第２偏光板１６を有する第２フォトダイオード１４では、周囲から入射する外光Ｌ１と、バックライト反射光Ｌ２に含まれる垂直振動する光成分Ｌ２ｂとの混合光Ｌ５（Ｌ１＋Ｌ２ｂ）が検出されることとなる。
【００２４】
制御部１７は、例えば、ＣＰＵ（Central Processing Unit）１７１、ＣＰＵ１７１のワークエリアとして用いられるＲＡＭ（Random Access Memory）１７２、データの書換え及び消去が可能なＥＥＰＲＯＭ（Electrically Erasable Programmable ROM）１７３、ＣＰＵ１７１によって実行される各種プログラムを格納するＲＯＭ（Read Only Memory）１７４等を備えて構成される。
【００２５】
ＣＰＵ１７１は、液晶表示装置１００の各部から入力される入力信号に応じて、ＲＯＭ１７４に格納された各種プログラムを実行するとともに、実行にかかるプログラムに基づいて各部に出力信号を出力することにより、液晶表示装置１００の動作全般を統括制御する。
【００２６】
ＲＯＭ１７４は、プログラム格納エリアに、外光量算出手段としての外光量算出プログラム１７４ａ、バックライト調整手段としてのバックライト調整プログラム１７４ｂ等を格納している。
【００２７】
外光量算出プログラム１７４ａは、例えば、ＣＰＵ１７１に、第１フォトダイオード１３により検出された光量と、第２フォトダイオード１４により検出された光量との差分値に基づいて、外光量を算出する機能を実現させるためのプログラムである。
前述のように、第１フォトダイオード１３では、水平振動するバックライト反射光Ｌ２の光成分Ｌ２ａのみが検出され、第２フォトダイオード１４では、垂直振動する外光Ｌ１と垂直振動するバックライト反射光Ｌ２の光成分Ｌ２ｂとの混合光Ｌ５が検出される。
したがって、第１フォトダイオード１３において検出されたバックライト反射光Ｌ２の光成分Ｌ２ａの光量と、第２フォトダイオード１４において検出された混合光Ｌ５（Ｌ１＋Ｌ２ｂ）の光量との差分値（（Ｌ１＋Ｌ２ｂ）−Ｌ２ａ）を算出し、所定の係数を演算することにより、バックライト装置１０に到達する外光Ｌ１の光量（外光量）を検出することができる。所定の係数は、個々の液晶表示装置１００に応じて予め測定された水平振動する光成分Ｌ２ａの光量と垂直振動する光成分Ｌ２ｂの光量の比率と、外光量検出時の液晶パネル１における開口率とに基づいて決定された値である。
ＣＰＵ１７１は、かかる外光量算出プログラム１７４ａを実行することにより、外光量算出手段として機能する。
【００２８】
ここで、上述の第１フォトダイオード（第１光量検出手段）１３、第２フォトダイオード（第２光量検出手段）１４、第１フォトダイオード１３の受光面に配設された第１偏光板１５、第２フォトダイオード１４の受光面に配設された第２偏光板１６、第１フォトダイオード１３により検出された光量と第２フォトダイオード１４により検出された光量との差分値に基づいて外光量を算出する外光量算出プログラム（外光量算出手段）１７４ａ及び外光量算出プログラム１７４ａを実行するＣＰＵ１７１等により、外光量検出ユニットが構成される。
【００２９】
バックライト調整プログラム１７４ｂは、例えば、ＣＰＵ１７１に、バックライト検出ユニット（第１フォトダイオード１３、第２フォトダイオード１４、第１偏光板１５、第２偏光板１６、外光量算出プログラム１７４ａ、ＣＰＵ１７１）により検出された外光量に基づいて、バックライト光源Ｃ１〜Ｃ４の輝度を調整する機能を実現させるためのプログラムである。
当該バックライト調整プログラム１７４ｂの実行において、ＣＰＵ１７１は、前述の外光量算出プログラム１７４ａの実行において算出された外光量に応じて、バックライト駆動部１２を制御し、バックライト輝度を調整する。
ＣＰＵ１７１は、かかるバックライト調整プログラム１７４ｂを実行することにより、バックライト駆動部１２とともにバックライト調整手段として機能する。
【００３０】
以上説明した実施形態１における液晶表示装置１００によれば、液晶パネル１の背面側から光を照射するバックライト装置１０が備わり、バックライト装置１０には、バックライト光源Ｃ１〜Ｃ４と、バックライト光源Ｃ１〜Ｃ４が設けられる筐体１１と、バックライト装置１０に入射される外光量を検出する外光量検出ユニットと、外光量検出ユニットにより検出された外光量に基づいて、バックライト光源Ｃ１〜Ｃ４の輝度を調整するバックライト調整手段（バックライト調整プログラム１７４ｂ、バックライト駆動部１２）と、が備わる。また、外光量検出ユニットには、筐体１１における所定の位置に設けられた第１光量検出手段（第１フォトダイオード１３）及び第２光量検出手段（第２フォトダイオード１４）と、第１光量検出手段の受光面に配設され、液晶パネル１の後面側に配設された偏光板３の偏光軸と直交する偏光軸を有する第１偏光板１５と、第２光量検出手段の受光面に配設され、液晶パネル１の後面側に配設された偏光板３の偏光軸と同一の偏光軸を有する第２偏光板１６と、第１光量検出手段により検出された光量と、第２光量検出手段により検出された光量との差分値に基づいて、外光量を算出する外光量算出手段（外光量算出プログラム１７４ａ）と、が備わる。
すなわち、外光量を検出するための外光量検出ユニットを構成する第１光量検出手段（第１フォトダイオード１３）及び第２光量検出手段（第２フォトダイオード１４）が、ユーザが視認する液晶パネル１の背面側にあるバックライト装置１０に配設されているため、外光量を検出する検出手段が表示面の外側に配設される場合と比較して、より正確な外光量を検出することが可能となり、バックライト装置１０をより適切な輝度で発光できることとなる。したがって、周囲の外光量に応じたより適切な輝度で発光可能なバックライト装置１０及び液晶表示装置１００を低コストで提供することができる。
また、外光量検出ユニットがバックライト装置１０に備わるため、液晶パネル側に外光量を検出するセンサを設けることなく外光量を検出することができることとなって、構造的な制約を低減することができる。
【００３１】
また、第１光量検出手段（第１フォトダイオード１３）の受光面に、液晶パネル１の後面側に配設された偏光板３の偏光軸と直交する偏光軸を有する第１偏光板１５が設けられ、第２光量検出手段（第２フォトダイオード１４）の受光面に、液晶パネル１の後面側に配設された偏光板３の偏光軸と同一の偏光軸を有する第２偏光板１６が設けられ、第１光量検出手段（第１フォトダイオード１３）により検出された光量と、第２光量検出手段（第２フォトダイオード１４）により検出された光量との差分値に基づいて、外光量が算出される。したがって、外光量を検出するための第１光量検出手段及び第２光量検出手段が、バックライト装置１０の筐体１１に配置されているにもかかわらず、バックライト装置１０におけるバックライト光源Ｃ１〜Ｃ４からの反射光の影響を受けることなく、正確な外光量を算出することができる。
【００３２】
（実施形態２）
次に、本発明を適用した実施形態２の液晶表示装置２００について説明する。
なお、以下の説明において、実施形態１と類似する構成には、同一の符号を付して説明を省略する。
【００３３】
本実施形態２の液晶表示装置２００は、図７及び図８に示すように、液晶パネル１と、この液晶パネル１の背面側に配設され、背面側から光を照射するバックライト装置２０と、を備える。
【００３４】
筐体１１における所定の位置、すなわち、略中央部Ｐ１、１列目のバックライト光源Ｃ１と２列目のバックライト光源Ｃ２との間における左端部寄りの位置Ｐ２及び右端部寄りの位置Ｐ３、３列目のバックライト光源Ｃ３と４列目のバックライト光源Ｃ４との間における左端部寄りの位置Ｐ４及び右端部寄りの位置Ｐ５には、それぞれ、第１光量検出手段としての第１フォトダイオード１３と第２光量検出手段としての第２フォトダイオード１４とが、近接して設けられており、５箇所Ｐ１〜Ｐ５の各々において入射される光の光量を検出する。
【００３５】
実施形態１と同様に、５つの位置Ｐ１〜Ｐ５の各々に配置された第１フォトダイオード１３は、液晶パネル１の後面側に配設された偏光板３の偏光軸と直交する偏光軸（例えば、水平方向の偏光軸）を有する第１偏光板１５によって受光面が覆われているため、バックライト反射光Ｌ２の光成分Ｌ２ａのみを検出する。
また、５つの位置Ｐ１〜Ｐ５の各々に配置された第２フォトダイオード１４は、液晶パネル１の後面側に配設された偏光板３の偏光軸と同一方向の偏光軸（例えば、垂直方向の偏光軸）を有する第２偏光板１６によって受光面が覆われているため、周囲から入射する外光Ｌ１と、バックライト反射光Ｌ２の光成分Ｌ２ｂとの混合光Ｌ５（Ｌ１＋Ｌ２ｂ）を検出する。
【００３６】
制御部２１は、例えば、ＣＰＵ（Central Processing Unit）２１１、ＣＰＵ２１１のワークエリアとして用いられるＲＡＭ（Random Access Memory）１７２、データの書換え及び消去が可能なＥＥＰＲＯＭ（Electrically Erasable Programmable ROM）１７３、ＣＰＵ２１１によって実行される各種プログラムを格納するＲＯＭ（Read Only Memory）２１２等を備えて構成される。
【００３７】
ＣＰＵ２１１は、液晶表示装置２００の各部から入力される入力信号に応じて、ＲＯＭ２１２に格納された各種プログラムを実行するとともに、実行にかかるプログラムに基づいて各部に出力信号を出力することにより、液晶表示装置２００の動作全般を統括制御する。
【００３８】
ＲＯＭ２１２は、プログラム格納エリアに、外光量算出手段としての外光量算出プログラム２１２ａ、バックライト調整手段としてのバックライト調整プログラム２１２ｂ等を格納している。
【００３９】
外光量算出プログラム２１２ａは、例えば、ＣＰＵ２１１に、筐体１１における所定の位置Ｐ１〜Ｐ５の各々に設けられた第１フォトダイオード１３及び第２フォトダイオード１４の組毎に、第１フォトダイオード１３により検出された光量と、第２フォトダイオード１４により検出された光量との差分値に基づいて、筐体１１における各位置Ｐ１〜Ｐ５の外光量を算出する機能を実現させるためのプログラムである。
当該外光量算出プログラム２１２ａの実行において、ＣＰＵ２１１は、各位置Ｐ１〜Ｐ５における第１フォトダイオード１３において検出されたバックライト反射光Ｌ２の光成分Ｌ２ａの光量と、各位置Ｐ１〜Ｐ５における第２フォトダイオード１４において検出された混合光Ｌ５（Ｌ１＋Ｌ２ｂ）の光量との差分値（（Ｌ１＋Ｌ２ｂ）−Ｌ２ａ）に基づいて、各位置Ｐ〜Ｐ５における外光Ｌ１の光量（外光量）を検出する。これにより、筐体１１における５つの位置Ｐ１〜Ｐ５の外光量、すなわち、略中央部Ｐ１の外光量、１列目のバックライト光源Ｃ１と２列目のバックライト光源Ｃ２との間における左端部寄りの位置Ｐ２の外光量及び右端部寄りの位置Ｐ３の外光量、３列目のバックライト光源Ｃ３と４列目のバックライト光源Ｃ４との間における左端部寄りの位置Ｐ４の外光量及び右端部寄りの位置Ｐ５の外光量が、それぞれ個別に検出されることとなる。
ＣＰＵ２１１は、かかる外光量算出プログラム２１２ａを実行することにより、外光量算出手段として機能する。
【００４０】
ここで、上述の第１フォトダイオード（第１光量検出手段）１３、第２フォトダイオード（第２光量検出手段）１４、第１フォトダイオード１３の受光面に配設された第１偏光板１５、第２フォトダイオード１４の受光面に配設された第２偏光板１６、第１フォトダイオード１３により検出された光量と第２フォトダイオード１４により検出された光量との差分値に基づいて外光量を算出する外光量算出プログラム（外光量算出手段）２１２ａ及び外光量算出プログラム２１２ａを実行するＣＰＵ２１１等により、外光量検出ユニットが構成される。
【００４１】
バックライト調整プログラム２１２ｂは、例えば、ＣＰＵ２１１に、複数のバックライト検出ユニット（第１フォトダイオード１３、第２フォトダイオード１４、第１偏光板１５、第２偏光板１６、外光量算出プログラム２１２ｂ、ＣＰＵ２１１）により検出された外光量の平均値に基づいて、バックライト光源Ｃ１〜Ｃ４の輝度を調整する機能を実現させるためのプログラムである。
当該バックライト調整プログラム２１２ｂの実行において、ＣＰＵ２１１は、初めに、前述の外光量算出プログラム２１２ａの実行において算出された５つの位置Ｐ１〜Ｐ５における外光量の平均値を算出する。すなわち、略中央部Ｐ１の外光量、１列目のバックライト光源Ｃ１と２列目のバックライト光源Ｃ２との間における左端部寄りの位置Ｐ２の外光量及び右端部寄りの位置Ｐ３の外光量、３列目のバックライト光源Ｃ３と４列目のバックライト光源Ｃ４との間における左端部寄りの位置Ｐ４の外光量及び右端部寄りの位置Ｐ５の外光量の平均値を算出する。そして、算出した外光量の平均値に応じて、バックライト駆動部１２を制御し、バックライト光源Ｃ１〜Ｃ４の輝度を調整する。
ＣＰＵ２１１は、かかるバックライト調整プログラム２１２ｂを実行することにより、バックライト駆動部１２とともにバックライト調整手段として機能する。
【００４２】
以上説明した実施形態２における液晶表示装置２００によれば、液晶パネル１の背面側から光を照射するバックライト装置２０が備わり、バックライト装置２０には、バックライト光源Ｃ１〜Ｃ４と、バックライト光源Ｃ１〜Ｃ４が設けられる筐体１１と、バックライト装置２０に入射される外光量を検出する複数の外光量検出ユニットと、複数の外光量検出ユニットにより検出された各外光量の平均値に基づいて、バックライト光源Ｃ１〜Ｃ４の輝度を調整するバックライト調整手段（バックライト調整プログラム２１２ｂ、バックライト駆動部１２）と、が備わる。また、複数の外光量検出ユニットのそれぞれは、筐体１１における所定の位置（例えば、Ｐ１〜Ｐ５）に設けられた第１光量検出手段（第１フォトダイオード１３）及び第２光量検出手段（第２フォトダイオード１４）と、第１光量検出手段（第１フォトダイオード１３）の受光面に配設され、液晶パネル１の後面側に配設された偏光板３の偏光軸と直交する偏光軸を有する第１偏光板１５と、第２光量検出手段（第２フォトダイオード１４）の受光面に配設され、液晶パネル１の後面側に配設された偏光板３の偏光軸と同一の偏光軸を有する第２偏光板１６と、第１光量検出手段（第１フォトダイオード１３）により検出された光量と、第２光量検出手段（第２フォトダイオード１４）により検出された光量との差分値に基づいて、外光量を算出する外光量算出手段（外光量算出プログラム２１２ａ）と、が備わる。
すなわち、外光量を検出するための外光検出ユニットを構成する第１光量検出手段（第１フォトダイオード１３）及び第２検出手段（第２フォトダイオード１４）が、ユーザが視認する液晶パネル１の背面側にあるバックライト装置２０に複数配設されているため、外光量を検出する検出手段が表示面の外側に配設される場合と比較して、より正確な外光量を検出することが可能となり、バックライト装置２０をより適切な輝度で発光できることとなる。したがって、周囲の外光量に応じたより適切な輝度で発光可能なバックライト装置２０及び液晶表示装置２００を低コストで提供することができる。
また、外光量検出ユニットがバックライト装置２０に備わるため、液晶パネル側に外光量を検出するセンサを設けることなく外光量を検出することができることとなって、構造的な制約を低減することができる。
【００４３】
また、第１光量検出手段（第１フォトダイオード１３）の受光面に、液晶パネル１の後面側に配設された偏光板３の偏光軸と直交する偏光軸を有する第１偏光板１５が設けられ、第２光量検出手段（第２フォトダイオード１４）の受光面に、液晶パネル１の後面側に配設された偏光板３の偏光軸と同一の偏光軸を有する第２偏光板１６が設けられ、第１光量検出手段（第１フォトダイオード１３）により検出された光量と、第２光量検出手段（第２フォトダイオード１４）により検出された光量との差分値に基づいて、外光量が算出される。したがって、外光量を検出するための第１光量検出手段及び第２光量検出手段が、バックライト装置２０の筐体１１に配置されているにもかかわらず、バックライト装置２０におけるバックライト光源Ｃ１〜Ｃ４からの反射光の影響を受けることなく、正確な外光量を算出することができる。
【００４４】
さらに、外光量検出ユニットは複数設けられており、バックライト調整手段により、複数の外光量検出ユニットにより検出された各外光量の平均値に基づいて、バックライト光源Ｃ１〜Ｃ４の輝度が調整されるため、バックライト光源Ｃ１〜Ｃ４を、液晶パネル１を視認するユーザにとって、より適切な輝度で発光させることができる。
【００４５】
（実施形態３）
次に、本発明を適用した実施形態３の液晶表示装置３００について説明する。
なお、以下の説明において、実施形態１又は２と類似する構成には、同一の符号を付して説明を省略する。
【００４６】
本実施形態３の液晶表示装置３００は、図９及び図１０に示すように、液晶パネル１と、この液晶パネル１の背面側に配設され、背面側から光を照射するバックライト装置３０と、を備える。
【００４７】
バックライト駆動部３１は、４つのバックライト光源Ｃ１〜Ｃ４のそれぞれに対応して設けられたインバータ（図示省略）により交流電圧を印加して、４つのバックライト光源Ｃ１〜Ｃ４の輝度を個別に調整する。
【００４８】
筐体１１における所定の位置Ｐ２〜Ｐ５には、それぞれ、バックライト光源Ｃ１〜Ｃ４に対応して、第１光量検出手段としての第１フォトダイオード１３と第２光量検出手段としての第２フォトダイオード１４とが、近接して設けられており、各位置Ｐ２〜Ｐ５において入射される光の光量を検出する。
例えば、１列目のバックライト光源Ｃ１と２列目のバックライト光源Ｃ２との間における左端部寄りの位置Ｐ２及び右端部寄りの位置Ｐ３には、それぞれ、１列目のバックライト光源Ｃ１と２列目のバックライト光源Ｃ２とに対応する第１フォトダイオード１３及び第２フォトダイオード１４の組が配設されている。また、３列目のバックライト光源Ｃ３と４列目のバックライト光源Ｃ４との間における左端部寄りの位置Ｐ４及び右端部寄りの位置Ｐ５には、それぞれ、３列目のバックライト光源Ｃ３と４目のバックライト光源Ｃ４とに対応する第１フォトダイオード１３及び第２フォトダイオード１４の組が配設されている。
【００４９】
実施形態１及び２と同様に、４つの位置Ｐ２〜Ｐ５の各々に配置された第１フォトダイオード１３は、液晶パネル１の後面側に配設された偏光板３の偏光軸と直交する偏光軸（例えば、水平方向の偏光軸）を有する第１偏光板１５によって受光面が覆われているため、バックライト反射光Ｌ２の光成分Ｌ２ａのみを検出する。
また、４つの位置Ｐ２〜Ｐ５の各々に配置された第２フォトダイオード１４は、液晶パネル１の後面側に配設された偏光板３の偏光軸と同一方向の偏光軸（例えば、垂直方向の偏光軸）を有する第２偏光板１６によって受光面が覆われているため、周囲から入射する外光Ｌ１と、バックライト反射光Ｌ２の光成分Ｌ２ｂとの混合光Ｌ５（Ｌ１＋Ｌ２ｂ）を検出する。
【００５０】
制御部３２は、例えば、ＣＰＵ（Central Processing Unit）３２１、ＣＰＵ３２１のワークエリアとして用いられるＲＡＭ（Random Access Memory）１７２、データの書換え及び消去が可能なＥＥＰＲＯＭ（Electrically Erasable Programmable ROM）１７３、ＣＰＵ３２１によって実行される各種プログラムを格納するＲＯＭ（Read Only Memory）３２２等を備えて構成される。
【００５１】
ＣＰＵ３２１は、液晶表示装置３００の各部から入力される入力信号に応じて、ＲＯＭ３２２に格納された各種プログラムを実行するとともに、実行にかかるプログラムに基づいて各部に出力信号を出力することにより、液晶表示装置３００の動作全般を統括制御する。
【００５２】
ＲＯＭ３２２は、プログラム格納エリアに、外光量算出手段としての外光量算出プログラム３２２ａ、バックライト調整手段としてのバックライト調整プログラム３２２ｂ等を格納している。
【００５３】
外光量算出プログラム３２２ａは、例えば、ＣＰＵ３２１に、筐体１１における複数の位置Ｐ２〜Ｐ５に設けられた第１フォトダイオード１３及び第２フォトダイオード１４の組毎に、第１フォトダイオード１３により検出された光量と、第２フォトダイオード１４により検出された光量との差分値に基づいて、筐体１１における各位置の外光量を算出する機能を実現させるためのプログラムである。
当該外光量算出プログラム３２２ａの実行において、ＣＰＵ３２１は、各位置Ｐ２〜Ｐ５における第１フォトダイオード１３において検出されたバックライト反射光Ｌ２の光成分Ｌ２ａの光量と、各位置Ｐ２〜Ｐ５における第２フォトダイオード１４において検出された混合光Ｌ５（Ｌ１＋Ｌ２ｂ）の光量との差分値（（Ｌ１＋Ｌ２ｂ）−Ｌ２ａ）に基づいて、外光Ｌ１の光量（外光量）を検出する。これにより、筐体１１における４つの位置Ｐ２〜Ｐ５の外光量、すなわち、１列目のバックライト光源Ｃ１と２列目のバックライト光源Ｃ２との間における左端部寄りの位置Ｐ２の外光量及び右端部寄りの位置Ｐ３の外光量、３列目のバックライト光源Ｃ３と４列目のバックライト光源Ｃ４との間における左端部寄りの位置Ｐ４の外光量及び右端部寄りの位置Ｐ５の外光量が、それぞれ個別に検出されることとなる。
ＣＰＵ３２１は、かかる外光量算出プログラム３２２ａを実行することにより、外光量算出手段として機能する。
【００５４】
ここで、上述の第１フォトダイオード（第１光量検出手段）１３、第２フォトダイオード（第２光量検出手段）１４、第１フォトダイオード１３の受光面に配設された第１偏光板１５、第２フォトダイオード１４の受光面に配設された第２偏光板１６、第１フォトダイオード１３により検出された光量と第２フォトダイオード１４により検出された光量との差分値に基づいて外光量を算出する外光量算出プログラム（外光量算出手段）３２１ａ及び外光量算出プログラム３２１ａを実行するＣＰＵ３２１により、外光量検出ユニットが構成される。
【００５５】
バックライト調整プログラム３２２ｂは、例えば、ＣＰＵ３２１に、バックライト光源Ｃ１〜Ｃ４に対応して設けられた外光量検出ユニット（第１フォトダイオード１３、第２フォトダイオード１４、第１偏光板１５、第２偏光板１６、外光量算出プログラム３２２ａ、ＣＰＵ３２１）により検出された外光量に応じて、対応するバックライト光源Ｃ１〜Ｃ４の輝度を個別に調整する機能を実現させるためのプログラムである。
当該バックライト調整プログラム３２２ｂの実行において、ＣＰＵ３２１は、初めに、前述の外光量算出プログラム３２２ａの実行において算出された位置Ｐ２の外光量と位置Ｐ３の外光量との平均値を算出する。そして、算出した外光量の平均値に応じて、バックライト駆動部３１を制御し、これら２つの位置Ｐ２、Ｐ３に配置された第１フォトダイオード１３及び第２フォトダイオード１４に対応する１列目のバックライト光源Ｃ１と２列目のバックライト光源Ｃ２の輝度を調整する。
また、ＣＰＵ３２１は、前述の外光量算出プログラム３２２ａの実行において算出された位置Ｐ４の外光量と位置Ｐ５の外光量との平均値を算出する。そして、算出した外光量の平均値に応じて、バックライト駆動部３１を制御し、これら２つの位置Ｐ４、Ｐ５に設けられた第１フォトダイオード１３及び第２フォトダイオード１４に対応する３列目のバックライト光源Ｃ３と４列目のバックライト光源Ｃ４の輝度を調整する。
ＣＰＵ３２１は、かかるバックライト調整プログラム３２２ｂを実行することにより、バックライト駆動部３１とともにバックライト調整手段として機能する。
【００５６】
以上説明した実施形態３における液晶表示装置３００によれば、液晶パネル１の背面側から光を照射するバックライト装置３０が備わり、バックライト装置３０には、複数のバックライト光源Ｃ１〜Ｃ４と、バックライト光源Ｃ１〜Ｃ４が設けられる筐体１１と、バックライト光源Ｃ１〜Ｃ４に対応して、バックライト装置３０に入射される外光量を検出する外光量検出ユニットと、バックライト光源Ｃ１〜Ｃ４に対応して設けられた外光量検出ユニットにより検出された外光量に基づいて、対応するバックライト光源Ｃ１〜Ｃ４の輝度を個別に調整するバックライト調整手段（バックライト調整プログラム３２２ｂ、バックライト駆動部３１）と、が備わる。また、外光量検出ユニットには、筐体１１における所定の位置（例えば、Ｐ２〜Ｐ５）に複数設けられた第１光量検出手段（第１フォトダイオード１３）及び第２光量検出手段（第２フォトダイオード１４）と、第１光量検出手段（第１フォトダイオード１３）の受光面に配設され、液晶パネル１の後面側に配設された偏光板３の偏光軸と直交する偏光軸を有する第１偏光板１５と、第２光量検出手段（第２フォトダイオード１４）の受光面に配設され、液晶パネル１の後面側に配設された偏光板３の偏光軸と同一の偏光軸を有する第２偏光板１６と、第１光量検出手段（第１フォトダイオード１３）により検出された光量と、第２光量検出手段（第２フォトダイオード１４）により検出された光量との差分値に基づいて、外光量を算出する外光量算出手段（外光量算出プログラム３２２ａ）と、が備わる。
すなわち、外光量を検出するための外光量検出ユニットを構成する第１光量検出手段（第１フォトダイオード１３）及び第２光量検出手段（第２フォトダイオード１４）が、ユーザが視認する液晶パネル１の背面側にあるバックライト装置３０に配設されているため、外光量を検出する検出手段が表示面の外側に配設される場合と比較して、より正確な外光量を検出することが可能となり、バックライト装置３０をより適切な輝度で発光できることとなる。したがって、周囲の外光量に応じたより適切な輝度で発光可能なバックライト装置３０及び液晶表示装置３００を低コストで提供することができる。
また、外光量検出ユニットがバックライト装置３０に備わるため、液晶パネル側に外光量を検出するセンサを設けることなく外光量を検出することができることとなって、構造的な制約を低減することができる。
【００５７】
また、第１光量検出手段（第１フォトダイオード１３）の受光面に、液晶パネル１の後面側に配設された偏光板３の偏光軸と直交する偏光軸を有する第１偏光板１５が設けられ、第２光量検出手段（第２フォトダイオード１４）の受光面に、液晶パネル１の後面側に配設された偏光板３の偏光軸と同一の偏光軸を有する第２偏光板１６が設けられ、第１光量検出手段（第１フォトダイオード１３）により検出された光量と、第２光量検出手段（第２フォトダイオード１４）により検出された光量との差分値に基づいて、外光量が算出される。したがって、外光量を検出するための第１光量検出手段（第１フォトダイオード１３）及び第２光量検出手段（第２フォトダイオード１４）が、バックライト装置３０の筐体１１に配置されているにもかかわらず、バックライト装置３０におけるバックライト光源Ｃ１〜Ｃ４からの反射光の影響を受けることなく、正確な外光量を算出することができる。
【００５８】
さらに、バックライト光源Ｃ１〜Ｃ４が複数備わるとともに、バックライト光源Ｃ１〜Ｃ４に対応して外光量検出ユニットが複数備わり、バックライト調整手段により、バックライト光源Ｃ１〜Ｃ４に対応して設けられた外光量検出ユニットにより検出された外光量に応じて、対応するバックライト光源Ｃ１〜Ｃ４の輝度が個別に調整される。
したがって、バックライト装置３０の筐体１１における複数の位置（例えば、Ｐ２〜Ｐ５）のそれぞれにおいて検出した外光量に応じて、対応するバックライト光源Ｃ１〜Ｃ４の輝度を個別に調整することができる。したがって、バックライト装置３０に入射する外光量が場所毎に異なる場合であっても、バックライト光源Ｃ１〜Ｃ４の輝度を、そのバックライト装置３０に対応する位置において検出された外光量に応じて調整することができることとなり、バックライト光源Ｃ１〜Ｃ４のそれぞれを、液晶パネル１を視認するユーザにとって、より適切な輝度で発光させることができる。
【００５９】
なお、本発明の範囲は上記実施形態に限られることなく、本発明の趣旨を逸脱しない範囲において種々の改良並びに設計の変更を行っても良い。
【００６０】
例えば、バックライト装置の形態や、バックライト光源の種類・数は任意である。上記実施形態では、バックライト装置として直下型のバックライト装置を用いたが、例えば、サイドエッジ型であっても良い。また、バックライト光源として管状の光源を用いたが、例えば、ＬＥＤ等であっても良い。このＬＥＤはマトリクス状に配設されていても良い。
【００６１】
また、第１光量検出手段及び第２光量検出手段の数及び配置位置も任意である。例えば、各バックライト光源に、一又は複数の第１光量検出手段及び第２光量検出手段の組を対応させても良い。
また、例えば、４列のバックライト光源を５組の第１光量検出手段及び第２光量検出手段で挟むように配置する場合、各バックライト光源の輝度を、その光源の両側に配置された２組の第１光量検出手段及び第２光量検出手段により検出された光量に基づいて、調整するように構成しても良い。これにより、光量検出手段の数を増加させずに、光量検出手段を効率的に利用して、より正確な外光量の検出が可能となる。
【図面の簡単な説明】
【００６２】
【図１】実施形態１の液晶表示装置の全体構成を示す図である。
【図２】実施形態１の液晶表示装置に備わるバックライト装置の要部構成を示すブロック図である。
【図３】図１のIII−III線における側面断面図である。
【図４】図１のIV−IV線における側面断面図である。
【図５】バックライト装置において検出される光について説明する図である。
【図６】バックライト装置の筐体に設けられた第１フォトダイオード及び第２フォトダイオードにより検出される光について説明する図である。
【図７】実施形態２の液晶表示装置の全体構成を示す図である。
【図８】実施形態２の液晶表示装置に備わるバックライト装置の要部構成を示すブロック図である。
【図９】実施形態３の液晶表示装置の全体構成を示す図である。
【図１０】実施形態３の液晶表示装置に備わるバックライト装置の要部構成を示すブロック図である。
【符号の説明】
【００６３】
１００    液晶表示装置
１        液晶パネル
３        偏光板
１０      バックライト装置
１２      バックライト駆動部（バックライト調整手段）
１３      第１フォトダイオード（第１光量検出手段）
１４      第２フォトダイオード（第２光量検出手段）
１５      第１偏光板
１６      第２偏光板
１７１    ＣＰＵ（外光量算出手段、バックライト調整手段）
１７４ａ  外光量算出プログラム（外光量算出手段）
１７４ｂ  バックライト調整プログラム（バックライト調整手段）
２００    液晶表示装置
２０      バックライト装置
２１２    ＣＰＵ（外光量算出手段、バックライト調整手段）
２１２ａ  外光量算出プログラム（外光量算出手段）
２１２ｂ  バックライト調整プログラム（バックライト調整手段）
３００    液晶表示装置
３０      バックライト装置
３１      バックライト駆動部（バックライト調整手段）
３２２    ＣＰＵ（外光量算出手段、バックライト調整手段）
３２２ａ  外光量算出プログラム（外光量算出手段）
３２２ｂ  バックライト調整プログラム（バックライト調整手段）
Ｃ１〜Ｃ４  バックライト光源
【図１】
2009288465.tif 000003
【図２】
2009288465.tif 000004
【図３】
2009288465.tif 000005
【図４】
2009288465.tif 000006
【図５】
2009288465.tif 000007
【図６】
2009288465.tif 000008
【図７】
2009288465.tif 000009
【図８】
2009288465.tif 000010
【図９】
2009288465.tif 000011
【図１０】
2009288465.tif 000012